【手続補正書】
【提出日】令和1年5月6日(2019.5.6)
【手続補正１】
【補正対象書類名】特許請求の範囲
【補正対象項目名】全文
【補正方法】変更
【補正の内容】
【特許請求の範囲】
【請求項１】
車両走行用エンジンまたは電動機を有する走行駆動源（５）の回転を自動変速機（６）を介して駆動輪（７）に伝達する冷凍車両（２）に搭載される冷凍システムであって、
前記走行駆動源に連動して冷媒を圧縮する圧縮機（２１）を含んで構成され、前記圧縮機から吐き出された冷媒を放熱させた後に減圧膨張させたときの冷媒の蒸発潜熱により前記冷凍車両の庫内を冷却する冷凍機（２０）と、
庫内温度から庫内設定温度を引いた値が所定の閾値以上のとき、前記走行駆動源の回転数が通常走行時より高くなるように前記自動変速機を変速させる制御装置（１０）と、を備え、
前記制御装置は、アイドリング運転時に、庫内温度から庫内設定温度を引いた値が所定の閾値以上のとき、前記自動変速機の変速レンジをニュートラルレンジに切り替えると共に、前記走行駆動源の回転数を高くする、冷凍システム。
【請求項２】
前記制御装置は、庫内温度から庫内設定温度を引いた値が所定の閾値以上のとき、前記自動変速機の変速パターンを、通常走行時の通常変速パターンから、通常走行時よりも前記走行駆動源の回転数が高くなるように変速比が設定された高回転変速パターンに切り替える、請求項１に記載の冷凍システム。
【請求項３】
前記冷凍システムは、運転者がアクセルの操作をすることなく、前記走行駆動源の回転と前記自動変速機の変速が自動制御される運転システムまたは運転アシスト機能を有する前記冷凍車両に搭載されるものであり、
前記制御装置は、庫内温度から庫内設定温度を引いた値が所定の閾値以上のとき、前記走行駆動源の回転数が通常走行時より高くなるように前記自動変速機を変速させると共に、車速に応じて前記走行駆動源の回転数を高くする、請求項１または２に記載の冷凍システム。
【請求項４】
前記走行駆動源の回転数が通常走行時より高くなるように前記制御装置が前記自動変速機を変速させたことを乗員または車室外の人に知らせる報知部（９）をさらに備える、請求項１ないし３のいずれか１つに記載の冷凍システム。
【請求項５】
前記報知部は、前記制御装置が前記自動変速機の変速レンジをニュートラルレンジに切り替えると共に前記走行駆動源の回転数を高くしたことを乗員または車室外の人に知らせるものである、請求項４に記載の冷凍システム。
【請求項６】
前記制御装置は、前記走行駆動源を冷却する冷却水の水温が所定の水温閾値より高い場合、車両走行用バッテリの電圧が所定の電圧閾値より低い場合、または、燃料タンクの残油量が所定の残油量閾値より低い場合、前記走行駆動源の回転数が通常走行時より高くなるように前記自動変速機を変速させる制御が禁止されるものである、請求項１ないし５のいずれか１つに記載の冷凍システム。
【請求項７】
前記制御装置は、前記冷凍車両の現在地が住宅地または生活道路の場合、または、現在時刻が早朝または深夜の場合、前記走行駆動源の回転数が通常走行時より高くなるように前記自動変速機を変速させる制御が禁止されるものである、請求項１ないし６のいずれか１つに記載の冷凍システム。
【請求項８】
前記制御装置が前記走行駆動源の回転数が通常走行時より高くなるように前記自動変速機を変速させる制御を行うことを禁止することの可能な禁止スイッチ（４６）をさらに備える、請求項１ないし７のいずれか１つに記載の冷凍システム。
【請求項９】
車両走行用エンジンまたは電動機を有する走行駆動源（５）の回転を自動変速機（６）を介して駆動輪（７）に伝達する冷凍車両（２）に搭載される冷凍システムであって、
前記走行駆動源に連動して冷媒を圧縮する圧縮機（２１）を含んで構成され、前記圧縮機から吐き出された冷媒を放熱させた後に減圧膨張させたときの冷媒の蒸発潜熱により前記冷凍車両の庫内を冷却する冷凍機（２０）と、
庫内温度から庫内設定温度を引いた値が所定の閾値以上のとき、前記走行駆動源の回転数が通常走行時より高くなるように前記自動変速機を変速させる制御装置（１０）と、
前記冷凍車両の走行経路を探索するナビゲーションシステム（７０）と、を備え、
前記ナビゲーションシステムは、運転開始時に庫内温度が所定温度より高い場合、住宅密集地を除く道路または幹線道路を優先的に選択する、冷凍システム。
【請求項１０】
前記制御装置は、庫内設定温度と庫内温度との差、前記冷凍車両の現在地の環境、または、現在時刻に応じて、前記自動変速機の変速比を前記走行駆動源の回転数が高くなる変速比に連続的または段階的に切り替えると共に、前記走行駆動源の回転数を連続的または段階的に高くする、請求項１ないし９のいずれか１つに記載の冷凍システム。
【請求項１１】
車両走行用エンジンまたは電動機を有する走行駆動源（５）の回転を自動変速機（６）を介して駆動輪（７）に伝達する冷凍車両（２）に搭載される冷凍システムであって、
前記走行駆動源に連動して冷媒を圧縮する圧縮機（２１）を含んで構成され、前記圧縮機から吐き出された冷媒を放熱させた後に減圧膨張させたときの冷媒の蒸発潜熱により前記冷凍車両の庫内を冷却する冷凍機（２０）と、
庫内温度から庫内設定温度を引いた値が所定の閾値以上のとき、前記走行駆動源の回転数が通常走行時より高くなるように前記自動変速機を変速させる制御装置（１０）と、を備え、
前記制御装置は、前記走行駆動源の回転数が通常走行時より高くなるように前記自動変速機を変速させるとき、乗員が乗車する車室内の空気調和を行う車室内空調装置（６０）の能力を低下させる、冷凍システム。
【請求項１２】
車両走行用エンジンまたは電動機を有する走行駆動源（５）の回転を自動変速機（６）を介して駆動輪（７）に伝達する冷凍車両に搭載される冷凍システムであって、
前記走行駆動源に連動して冷媒を圧縮する圧縮機（２１）を含んで構成され、前記圧縮機から吐き出された冷媒を放熱させた後に減圧膨張させたときの冷媒の蒸発潜熱により前記冷凍車両の庫内を冷却する冷凍機（２０）と、
アイドリング運転時に、庫内温度から庫内設定温度を引いた値が所定の閾値以上のとき、前記自動変速機の変速レンジをニュートラルレンジに切り替えると共に、前記走行駆動源の回転数を高くする制御装置（１０）と、を備える冷凍システム。
【請求項１３】
前記制御装置が前記自動変速機の変速レンジをニュートラルレンジに切り替えると共に前記走行駆動源の回転数を高くしたことを乗員または車室外の人に知らせる報知部（９）をさらに備える請求項１２に記載の冷凍システム。
【請求項１４】
前記冷凍車両の走行経路を探索するナビゲーションシステム（７０）をさらに備え、
前記ナビゲーションシステムは、運転開始時に庫内温度が所定温度より高い場合、住宅密集地を除く道路または幹線道路を優先的に選択する、請求項１２または１３に記載の冷凍システム。
【請求項１５】
前記制御装置は、前記走行駆動源の回転数が通常走行時より高くなるように前記自動変速機を変速させるとき、乗員が乗車する車室内の空気調和を行う車室内空調装置（６０）の能力を低下させる、請求項１２ないし１４のいずれか１つに記載の冷凍システム。
【手続補正２】
【補正対象書類名】明細書
【補正対象項目名】０００８
【補正方法】変更
【補正の内容】
【０００８】
上記目的を達成するため、請求項１に係る発明は、車両走行用エンジンまたは電動機を有する走行駆動源（５）の回転を自動変速機（６）を介して駆動輪（７）に伝達する冷凍車両（２）に搭載される冷凍システムであって、
走行駆動源に連動して冷媒を圧縮する圧縮機（２１）を含んで構成され、圧縮機から吐き出された冷媒を放熱させた後に減圧膨張させたときの冷媒の蒸発潜熱により冷凍車両の庫内を冷却する冷凍機（２０）と、
庫内温度から庫内設定温度を引いた値が所定の閾値以上のとき、走行駆動源の回転数が通常走行時より高くなるように自動変速機を変速させる制御装置（１０）と、を備え、
制御装置は、アイドリング運転時に、庫内温度から庫内設定温度を引いた値が所定の閾値以上のとき、自動変速機の変速レンジをニュートラルレンジに切り替えると共に、走行駆動源の回転数を高くする。
【手続補正３】
【補正対象書類名】明細書
【補正対象項目名】００１０
【補正方法】変更
【補正の内容】
【００１０】
請求項９に係る発明は、車両走行用エンジンまたは電動機を有する走行駆動源（５）の回転を自動変速機（６）を介して駆動輪（７）に伝達する冷凍車両（２）に搭載される冷凍システムであって、
走行駆動源に連動して冷媒を圧縮する圧縮機（２１）を含んで構成され、圧縮機から吐き出された冷媒を放熱させた後に減圧膨張させたときの冷媒の蒸発潜熱により冷凍車両の庫内を冷却する冷凍機（２０）と、
庫内温度から庫内設定温度を引いた値が所定の閾値以上のとき、走行駆動源の回転数が通常走行時より高くなるように自動変速機を変速させる制御装置（１０）と、
冷凍車両の走行経路を探索するナビゲーションシステム（７０）と、を備え、
ナビゲーションシステムは、運転開始時に庫内温度が所定温度より高い場合、住宅密集地を除く道路または幹線道路を優先的に選択する。
請求項１１に係る発明は、車両走行用エンジンまたは電動機を有する走行駆動源（５）の回転を自動変速機（６）を介して駆動輪（７）に伝達する冷凍車両（２）に搭載される冷凍システムであって、
走行駆動源に連動して冷媒を圧縮する圧縮機（２１）を含んで構成され、圧縮機から吐き出された冷媒を放熱させた後に減圧膨張させたときの冷媒の蒸発潜熱により冷凍車両の庫内を冷却する冷凍機（２０）と、
庫内温度から庫内設定温度を引いた値が所定の閾値以上のとき、走行駆動源の回転数が通常走行時より高くなるように自動変速機を変速させる制御装置（１０）と、を備え、
制御装置は、走行駆動源の回転数が通常走行時より高くなるように自動変速機を変速させるとき、乗員が乗車する車室内の空気調和を行う車室内空調装置（６０）の能力を低下させる。
請求項１２に係る発明は、車両走行用エンジンまたは電動機を有する走行駆動源（５）の回転を自動変速機（６）を介して駆動輪（７）に伝達する冷凍車両に搭載される冷凍システムであって、
走行駆動源に連動して冷媒を圧縮する圧縮機（２１）を含んで構成され、圧縮機から吐き出された冷媒を放熱させた後に減圧膨張させたときの冷媒の蒸発潜熱により冷凍車両の庫内を冷却する冷凍機（２０）と、
アイドリング運転時に、庫内温度から庫内設定温度を引いた値が所定の閾値以上のとき、自動変速機の変速レンジをニュートラルレンジに切り替えると共に、走行駆動源の回転数を高くする制御装置（１０）と、を備える。
【手続補正４】
【補正対象書類名】明細書
【補正対象項目名】００５９
【補正方法】変更
【補正の内容】
【００５９】
ステップＳ３０で制御装置１０は、庫内温度から庫内設定温度を引いた値が所定の閾値以上のとき、庫内を急速冷凍するための急速冷凍モードを実行する。その際、制御装置１０は、車両がアイドリング運転状態であるか否かを判定する。車両がアイドリング運転状態にあるとき、制御装置１０は、自動変速機６の変速レンジをニュートラルレンジに切り替えると共に、エンジン５の回転数を高くする。これにより、エンジン５の回転に連動して圧縮機２１の回転数が高くなる。そのため、圧縮機２１による冷媒の吐出量が増加し、冷凍機２０による冷凍能力が高くなる。したがって、この冷凍システム１は、アイドリング運転時に、冷凍車両２の庫内を急速に冷凍することができる。
【手続補正５】
【補正対象書類名】明細書
【補正対象項目名】００６２
【補正方法】変更
【補正の内容】
【００６２】
ステップＳ６０で制御装置１０は、報知部９により、急速冷凍モードが実行されていることを報知させる。このとき、報知部９は、制御装置１０が自動変速機６の変速レンジをニュートラルレンジに切り替えると共にエンジン５の回転数を高くしたことを、ランプ、ブザーまたはモニタ表示などの方法により、乗員または車室外の人に知らせる。これにより、乗員または車室外の人は、エンジン５の回転数が高くなったことが故障ではなく、制御装置１０による正常な制御であることを、報知部９の報知動作により認識することができる。
【手続補正６】
【補正対象書類名】明細書
【補正対象項目名】００６４
【補正方法】変更
【補正の内容】
【００６４】
（１）第２実施形態では、制御装置１０は、アイドリング運転時に、庫内温度から庫内設定温度を引いた値が所定の閾値以上のとき、自動変速機６の変速レンジをニュートラルレンジに切り替えると共に、エンジン５の回転数を高くする
これによれば、アイドリング運転時に、庫内温度から庫内設定温度を引いた値が所定の閾値以上になると、制御装置１０がエンジン５の回転数を高くする。これにより、圧縮機２１による冷媒の吐出量が増加し、冷凍機２０による冷凍能力が高くなる。したがって、この冷凍システム１は、アイドリング運転時に、庫内を急速に冷凍することができる。
【手続補正７】
【補正対象書類名】明細書
【補正対象項目名】００６５
【補正方法】変更
【補正の内容】
【００６５】
（２）第１実施形態では、報知部９は、制御装置１０が自動変速機６の変速レンジをニュートラルレンジに切り替えると共に、エンジン５の回転数を高くしたことを知らせるものである。
【手続補正８】
【補正対象書類名】明細書
【補正対象項目名】０１１５
【補正方法】変更
【補正の内容】
【０１１５】
第４の観点によれば、制御装置は、アイドリング運転時に、庫内温度から庫内設定温度を引いた値が所定の閾値以上のとき、自動変速機の変速レンジをニュートラルレンジに切り替えると共に、走行駆動源の回転数を高くする。
【手続補正９】
【補正対象書類名】明細書
【補正対象項目名】０１１９
【補正方法】変更
【補正の内容】
【０１１９】
第６の観点によれば、報知部は、制御装置が自動変速機の変速レンジをニュートラルレンジに切り替えると共に走行駆動源の回転数を高くしたことを乗員または車室外の人に知らせるものである。
【手続補正１０】
【補正対象書類名】明細書
【補正対象項目名】０１３３
【補正方法】変更
【補正の内容】
【０１３３】
第１３の観点によれば、冷凍システムは、車両走行用エンジンまたは電動機により構成される走行駆動源の回転を自動変速機を介して駆動輪に伝達する冷凍車両に搭載される。冷凍システムは、冷凍機と制御装置を備える。冷凍機は、走行駆動源に連動して冷媒を圧縮する圧縮機を含んで構成され、圧縮機から吐き出された冷媒を放熱させた後に減圧膨張させたときの冷媒の蒸発潜熱により冷凍車両の庫内を冷却する。制御装置は、アイドリング運転時に、庫内温度から庫内設定温度を引いた値が所定の閾値以上のとき、自動変速機の変速レンジをニュートラルレンジに切り替えると共に、走行駆動源の回転数を高くする。
【手続補正１１】
【補正対象書類名】明細書
【補正対象項目名】０１３５
【補正方法】変更
【補正の内容】
【０１３５】
第１４の観点によれば、冷凍システムは、制御装置が自動変速機の変速レンジをニュートラルレンジに切り替えると共に走行駆動源の回転数を高くしたことを乗員または車室外の人に知らせる報知部をさらに備える。